(57)【要約】【課題】  最初に箱に収容した物体だけでなく、さらに新たな物体を箱の中から出現させることにより、観者に手品の不思議さを与えることができる手品具を提供する。【解決手段】  物体収容ボックス１は、補充用ボックス２に収容されている第２サイコロ１０１ａ〜１０１ｄを格納部１２内に導入するべく格納部１２から分岐した補充通路部１３を有する。補充通路部１３を通して、物体収容ボックス１内に第２サイコロ１０１ａ〜１０１ｄを供給することができる。そのため、最初に、物体収容ボックス１に第１サイコロ１００ａ〜１００ｄを収容した後、物体収容ボックス１から、第１サイコロ１００ａ〜１００ｄに続いて、第２サイコロ１０１ａ〜１０１ｄを出現させることができる。【選択図】図５
2013063147.tif 000002
【特許請求の範囲】
【請求項１】
物体収容ボックスと、補充用ボックスと、
前記物体収容ボックスから出現させる物体とを有する手品具であって、
前記物体には、前記物体収容ボックスに収容可能な個数の第１物体と、前記補充用ボックスに収容しておく１個又は複数個の第２物体があり、
前記物体収容ボックスは、
前記第１物体及び前記第２物体とを出現させるための開口部と、
前記第１物体を前記開口部から出し入れ可能に収容する格納部と、
前記補充用ボックスに収容されている前記第２物体を前記格納部内に導入するべく前記格納部から分岐した補充通路部とを有し、
前記補充用ボックスは、
前記補充通路部に連結され、前記開口部から前記物体収容ボックス内の前記第１物体が順次出てくる間に、収容している前記第２物体を前記補充通路部を通して、前記物体収容ボックス内に供給可能に構成されている、手品具。
【請求項２】
前記補充用ボックスは、前記補充通路部に着脱可能に連結されており、
前記格納部と前記補充用ボックスは、互いに外観が同一である、請求項１に記載の手品具。
【発明の詳細な説明】
【技術分野】
【０００１】
本発明は、物体収容ボックスの中から、その容量を超えた数の物体が次々と出現する手品具、例えば、４つのサイコロが入る大きさの物体収容ボックスから、８つのサイコロが出てくるトリック手品具に関する。
【背景技術】
【０００２】
物体出現トリック手品、例えば、小さな箱から大きな物体が出現したり、通常では箱に入るとは思えない数の物体が箱から出現する手品は、大変人気がある。このような手品では、一体どのように物体がその箱の中に収納されていたのだろうか、箱の中は異空間になっているのだろうかと、観者は、常識では考えられない不思議な現象に驚く。特に、その出現した物体が、小さく折り畳むことができないような固形物で、しかも箱の容量を超えた数の物体が大量に出てくる場合、物体をあらかじめ箱のどこかに隠していたということは不可能であるように思われ、観者が得る不思議さと驚きは大きい。
【０００３】
そのような固形物が出現する手品具として、複数のサイコロと、側部の一部にバネ板を形成した２つの筒とを使用するものがある（特許文献１）。この手品具を使用すると、１つの筒からもう１つの筒へサイコロが瞬時に移動したかのように見せ、筒から新たなサイコロが出現したように演じることができる。
【先行技術文献】
【特許文献】
【０００４】
【特許文献１】実開平２−４２６９８
【発明の概要】
【発明が解決しようとする課題】
【０００５】
上述した従来の手品具は、サイコロを出現させる筒自体に、サイコロを１個隠しておくことができるという仕掛けがされたものである。そのため、新たに出現するサイコロは１個であって、筒の容量を超えた数のサイコロを次々に出現させるという演出をすることができない。
【０００６】
本発明は、かかる実情に鑑み創案されたものであり、その目的は、最初に箱に収容した物体だけでなく、さらに新たな物体を箱の中から出現させることにより、観者に手品の不思議さを与えることができる手品具を提供することにある。
【課題を解決するための手段】
【０００７】
本発明の手品具は、物体収容ボックスと、補充用ボックスと、前記物体収容ボックスから出現させる物体とを有する手品具である。前記物体には、前記物体収容ボックスに収容可能な個数の第１物体と、前記補充用ボックスに収容しておく１個又は複数個の第２物体とがある。また、前記物体収容ボックスは、前記第１物体及び前記第２物体とを出現させるための開口部と、前記第１物体を前記開口部から出し入れ可能に収容する格納部と、前記補充用ボックスに収容されている前記第２物体を前記格納部内に導入するべく前記格納部から分岐した補充通路部とを有する。また、前記補充用ボックスは、前記補充通路部に連結され、前記開口部から前記物体収容ボックス内の前記第１物体が順次出てくる間に、収容している前記第２物体を前記補充通路部を通して、前期物体収容ボックス内に供給可能に構成されている。
【０００８】
本発明の手品具において、前記補充用ボックスは、前記補充通路部に着脱可能に連結されており、前記格納部と前記補充用ボックスは、互いに外観が同一であることが望ましい。
【０００９】
本発明の手品具によれば、出現トリック手品を簡単に行うことができる。例えば、演者は、あらかじめ補充用ボックス内に第２物体を収容しておく。そして、演者は、観者に第１物体を示してから、物体収容ボックスの中に第１物体を収容する。次に、演者は、第１物体を物体収容ボックスから順次出現させながら、補充用ボックス内に収容された第２物体を補充通路部を通して物体収容ボックス内へ供給する。これにより、先に、物体収容ボックスから第１物体が出現し、その後に、物体収容ボックスから第２物体が出現する。
【００１０】
第１物体と第２物体は、互いに、同種の物体でも異種の物体でもよい。例えば、後から出現する第２物体を見た観者に、先に出現した第１物体が増殖したかのような印象を与える場合には、第１物体と第２物体とは同種であるのが好ましい。また、後から出現する第２物体が、突然どこからともなく出現したという印象を観者に与える場合には、第１物体と第２物体とは異種であるのが好ましい。
【００１１】
本発明の手品具における物体は、形を成しているものであれば特に制限されない。例えば、サイコロやパチンコ玉である。さらに、サイコロ等の直方体であれば、物体収容ボックスから物体を出現させながら、テーブル上に物体を積み上げることができる。観者に、物体が積み上がっていく様子、また、物体が高く積み上がった様子を見せることによって、物体収容ボックスから物体が次々と出現したことをより強く印象づけることができる。
【発明の効果】
【００１２】
本発明の手品具によれば、演者が箱に収容した物体だけでなく、さらに新たな物体を箱の中から出現させることにより、観者に手品の不思議さを与えることができる。
【図面の簡単な説明】
【００１３】
【図１】本発明に係る物体収容ボックスと補充用ボックスを一体とさせた状態の斜視図
【図２】本発明に係る物体収容ボックスの斜視図
【図３】本発明に係る補充用ボックスの斜視図
【図４】本発明に係るダミーボックスの斜視図
【図５】出現トリック手品の実演手順の一例を示す説明図
【発明を実施するための形態】
【００１４】
以下、本発明の実施形態を図示例と共に説明する。
【００１５】
この実施形態の手品具は、図５に示すように、サイコロ１００ａ〜１００ｄ、１０１ａ〜１０１ｄと、物体収容ボックス１と、補充用ボックス２と、ダミーボックス３とで構成される。物体収容ボックス１、補充用ボックス２及びダミーボックス３は、いずれも不透明の箱体である。
【００１６】
サイコロ１００ａ〜１００ｄ、１０１ａ〜１０１ｄは、外見上区別できない同形同寸の正六面体の物体であり、各面にその面の数を示す円形の点が付されている。手品実演の際には、物体収容ボックス１に収容可能な４個の第１サイコロ１００ａ〜１００ｄと、補充用ボックス２に収容しておく４個の第２サイコロ１０１ａ〜１０１ｄとに分けられる。
【００１７】
図１は物体収容ボックス１と補充用ボックス２とを一体とさせた状態を示している。図１（ａ）に示すように、物体収容ボックス１の前面１Ａと補充用ボックス２の前面２Ａには、サイコロの形を摸した４つの正方形パターンからなる装飾Ｄが施されている。物体収容ボックス１と補充用ボックス２は、互いの前面１Ａ、２Ａ同士が同一面をなすように互いに連結されている。
【００１８】
物体収容ボックス１は、図２（ａ）に示すように、第１サイコロ１００ａ〜１００ｄ及び第２サイコロ１０１ａ〜１００ｄを出現させるための正方形の開口部１１と、第１サイコロ１００ａ〜１００ｄを開口部１１から出し入れ可能に収容する格納部１２と、補充用ボックス２に収容されている第２サイコロ１０１ａ〜１０１ｄを格納部１２内に導入するべく格納部１２から分岐した補充通路部１３とを有する。
【００１９】
格納部１２は、略直方体の容器であり、略長方形の４つの側板１２１〜１２４と、開口部１１に対向する正方形の端板１２５とを有する。格納部１２の外観は補充用ボックス２の外観と同一である。すなわち、物体収容ボックス１は、その補充通路部１３を手などで隠し、格納部１２だけが見える状態にすれば、補充用ボックス２と見分けがつかないように構成されている。
【００２０】
補充通路部１３は、格納部１２の４つの側板１２１〜１２４のうちの一つの側板１２４に設けられている。補充通路部１３は、開口部１１と端板１２５との間のほぼ中間位置に、端板１２５側に傾けて形成されている。その傾斜角度はほぼ４５度である。補充通路部１３の開口部１１側に面する基部Ｃは、補充用ボックス２から供給される第２サイコロ１０１ａ〜１０１ｄを格納部１２内にスムーズに導入できるように、円弧状に滑らかに湾曲している。
【００２１】
補充通路部１３は、補充用ボックス２と嵌合する嵌合部１３１を有している。嵌合部１３１は、物体収容ボックス１の前面１Ａの近傍に設けられた前板部１３２と、前板部１３２の両側から物体収容ボックス１の後面１Ｂ側に延びる一対の側板部１３３、１３３’とからなる。物体収容ボックス１の側板１２３には、図１（ｂ）に示すように、嵌合部１３１の開口部１３６側に臨ませて円弧状の切欠部１３７が形成されている。
【００２２】
図３は補充用ボックス２の斜視図である。補充用ボックス２は、その一端に開口した排出部２１を有する略直方体の容器である。補充用ボックス２は、略長方形の４つの側板２２１〜２２４と、排出部２１の開口端に対向する正方形の端板２２５とを有する。
【００２３】
排出部２１は、その内側に補充通路部１３の嵌合部１３１が嵌合するように構成されている。具体的には、補充用ボックス２の前面２Ａ側の側板２２１及びその両側の側板２２２、２２４にそれぞれ薄厚部２１ａ、２１ａ’が形成され、そこに嵌合部１３１を構成する前板部１３２及び側板部１３３、１３３’が丁度嵌るようになっている。両側板２２２、２２４の薄厚部２１ａには、両側板２２２、２２４の長手方向に延びる突起部２６，２６’が形成されており、嵌合部１３１を構成する両側板部１３３、１３３’を突起部２６，２６’に摺接させてガイドすることにより、物体収容ボックス１と補充用ボックス２との互いのがたつきを防止している。
【００２４】
この補充用ボックス２は、その排出部２１を物体収容ボックス１の補充通路部１３に嵌合させて連結することにより、第１サイコロ１００ａ〜１００ｄが物体収容ボックス１の開口部１１から順次出てくる間に、第２サイコロ１０１ａ〜１０１ｄを補充通路部１３を通して、物体収容ボックス１内に供給できるように構成されている。
【００２５】
補充用ボックス２の後面２Ｂ側の側板２２３には、図１（ｂ）に示すように、排出部２１の開口端から側板２２３の長辺に平行に一対の切り込み２３、２３’が形成されている。側板２２３の両切り込み２３、２３’の間の部分は弾性変形可能であり、この部分が物体押さえ部２７として機能する。すなわち、物体押さえ部２７を指で押して弾性変形させることにより、補充用ボックス２内の第２サイコロ１０１ａ〜１０１ｄを押さえて保持できるように構成されている。また、物体押さえ部２７を補充用ボックス２の内側に弾性変形させたとき、物体押さえ部２７の先端部の両側部が突起部２６，２６’に当接するようになっている。すなわち、突起部２６，２６’が物体押さえ部２７のストッパとして機能することにより、過剰な弾性変形による物体押さえ部２７の破損を防止している。
【００２６】
図４は、本発明に係るダミーボックスの斜視図である。ダミー物体収容ボックス３は、略長方形の３つの側板３２１、３２２、３２４と、正方形の端板３２５とを有する。ダミー物体収容ボックス３の前面３Ａには、物体収容ボックス１及び補充用ボックス２と同様に、サイコロの形を摸した４つの正方形パターンからなる装飾Ｄが施されている。
【００２７】
以下、この手品具を用いて手品を実演する手順の一例について、図５を用いて説明する。
【００２８】
演者はあらかじめ、補充用ボックス２に４個の第２サイコロ１０１ａ〜１０１ｄを収容しておく。そして、物体収容ボックス１と補充用ボックス２とを一体化させておく。物体収容ボックス１と補充用ボックス２とが一体化した状態を「一体ボックスＧ」という。
【００２９】
次に、演者は、図５（ａ）のように、一体ボックスＧを左手に持ち、補充用ボックス２の前面２Ａ及び補充通路部１３を左手の人差し指、中指、薬指で覆い隠すようにし、指先は、物体収容ボックス１の前面１Ａに添える。その際、左手の親指で補充用ボックス２の物体押さえ部２７を押圧して、第２物体１０１ａ〜１０１ｄを補充用ボックス２内に保持しておく。ここまでが、事前準備である。演者は、左手で一体ボックスＧを持ち、物体押さえ部２７を押圧したままの状態で、次に手品の実演に入る。
【００３０】
演者は、テーブルの上に、第１サイコロ１００ａ〜１００ｄとダミーボックス３を置く（図５（ａ））。そして、演者は、左手に一体ボックスＧを持ち、観者に補充用ボックス２が見えないように、補充用ボックス２の前面２Ａを隠した状態で、テーブルの前に立つ。観者は、演者のテーブルを挟んだ向かい側にいる。
【００３１】
演者は、まず、テーブルの上に置いた第１サイコロ１００ａ〜１００ｄに何も仕掛けがないことを観者に確認してもらう。その間、演者は、補充用ボックス２の前面２Ａを観者に見えないように隠した状態で、物体収容ボックス１の前面１Ａと開口部１１を観者に示しながら、「箱にはサイコロが４個入ります」等と説明する。
【００３２】
次に演者は、観者に確認してもらった４個の第１サイコロ１００ａ〜１００ｄを右手でテーブルの上に積み上げる。その後、演者は、右手にダミーボックス３を持つ。そして、ダミーボックス３と左手に持っている一体ボックスＧの格納部１２を、前面１Ａ、前面３Ａが観者側に向くようにして、積み上げられた第１サイコロ１００ａ〜１００ｄの左右に立てる（図５（ｂ））。このとき、ダミーボックス３を持っている右手と、一体ボックスＧを持っている左手とが、なるべく左右対称に見えるようにしておく。ダミーボックス３は、観者の視線が一体ボックスＧに集中するのを避ける役割を果たす。
【００３３】
次に演者は、ダミーボックス３と、一体ボックスＧの格納部１２とで、積み上げられた第１サイコロ１００ａ〜１００ｄを両側から挟んで見せる。これにより、第１サイコロ１００ａ〜１００ｄの積み上げられた高さと、格納部１２の高さがほぼ同じであり、格納部１２が４個のサイコロがぴったりおさまるサイズの箱であることを観者に強く印象づけることができる。
【００３４】
次に演者は、積み上げられた状態の第１サイコロ１００ａ〜１００ｄに、一体ボックスＧの格納部１２を被せる（図５（ｃ））。物体収容ボックス１の中に４個の第１サイコロ１００ａ〜１００ｄが収容され隠れた状態となる。演者が、格納部１２を持ち上げると、再び、４個の第１サイコロ１００ａ〜１００ｄが現れる。このように、第１サイコロ１００ａ〜１００ｄを格納部１２から出し入れすることにより、格納部１２には４個の第１サイコロ１００ａ〜１００ｄだけしか収容されていないことを観者に強く印象づけることができる。
【００３５】
次に演者は、積み上げられた状態の第１サイコロ１００ａ〜１００ｄに、一体ボックスＧの格納部１２を被せる（図５（ｃ））。そして、魔法をかける等の演出を行う。その後、演者は、一体ボックスＧをゆっくりと持ち上げていく。まず、１つ目の第１サイコロ１００ｄを出現させ、次に、下から２つ目の第１サイコロ１００ｃを出現させたあたりで、左手親指の力を緩めて物体押さえ部２７の押圧を解除する（図５（ｄ））。これにより、補充用ボックス２に収容されている第２サイコロ１０１ａ〜１０１ｄが、その自重により移動し、補充通路部１３を通って、物体収容ボックス１内へ供給され始める。すなわち、物体押さえ部２７による第２サイコロ１０１ａ〜１０１ｄの保持を解除した状態で一体ボックスＧを持ち上げていくと、下から３つ目の第１サイコロ１００ｂが出現すると共に、第２サイコロ１０１ａが物体収容ボックス１内へ移動する。そして、さらに一体ボックスＧを持ち上げていくと、下から４つ目の第１サイコロ１００ａが出現すると共に、第２サイコロ１０１ｂが物体収容ボックス１内へ移動する。（図５（ｅ））。また、さらに一体ボックスＧを持ち上げていくと、第２サイコロ１０１ａが出現すると共に、第２サイコロ１０１ｃが物体収容ボックス１内へ移動する。そして、さらに一体ボックスＧを持ち上げていくと、第２サイコロ１０１ｂが出現すると共に、第２サイコロ１０１ｄが物体収容ボックス１内へ移動する。そして、さらに一体ボックスＧを持ち上げていくと、第２サイコロ１０１ｃ、１０１ｄが、順次出現する。観者は、４個の第１サイコロ１００ａ〜１００ｄしか入っていないはずの箱（格納部１２）から８個の第１サイコロ１００ａ〜１００ｄ、第２サイコロ１０１ａ〜１０１ｄが出てくる様子を目の当たりすることになる。
【００３６】
次に演者は、積み上げられた第１サイコロ１００ａ〜１００ｄ、第２サイコロ１０１ａ〜１０１ｄを倒す（図５（ｆ））。そして、演者は、第１サイコロ１００ａ〜１００ｄ、第２サイコロ１０１ａ〜１０１ｄが１つずつ分離した普通の８個のサイコロであることを、観者に確認してもらう。観者が第１サイコロ１００ａ〜１００ｄ、第２サイコロ１０１ａ〜１０１ｄを確認している間に、演者は、観者に見えないように一体ボックスＧを持ち、補充用ボックス２と物体収容ボックス１とに分離させる。そして、演者は、物体収容ボックス１をテーブルの下に隠すなどして、補充用ボックス２のみを観者に示す。演者は、補充用ボックス２に何も仕掛けがないことを観者に確認してもらう。
【００３７】
このように本実施形態の手品具によれば、４個のサイコロ１００ａ〜１００ｄしか入っていないはずの箱（格納部１２）の中から８個のサイコロ１００ａ〜１００ｄ、１０１ａ〜１０１ｄが出てくるトリック手品を容易に実演することができる。すなわち、物体収容ボックス１の格納部１２と補充用ボックス２の外観が同一であるため、物体収容ボックス１の補充通路部１３の部分と補充用ボックス２を観者に見せないようにして、物体収容ボックス１の格納部１２から８個のサイコロ１００ａ〜１００ｄ、１０１ａ〜１０１ｄを出現させた後に、物体収容ボックス１と補充用ボックス２を分離させ、物体収容ボックス１を観者に見せないようにして、補充用ボックス２の構造を観者に確認させることにより、その補充用ボックス２があたかも最初に４個のサイコロ１００ａ〜１００ｄが入っていた箱（格納部１２）であるかのように演出することができる。
【００３８】
通常、手品具は何か仕掛けが施されているため、手品の実演後に、観者に手品具を確認してもらうことができないことが多いが、本実施形態の手品具によれば、手品の実演後に、手品具（補充用ボックス２）の構造を観者に確認させることができるので、手品の不思議さを増大させることができる。すなわち、補充用ボックス２を観者が実際に手に取り、それがサイコロが４個までしか入らない構造であることを確認することにより、そのような小さな箱（補充用ボックス２）の中からどうして８個のサイコロが出てきたのかというとても不思議な気持ちにさせることができる。
【００３９】
なお、上記の例では、観者の視線が演者の左手にある一体ボックスＧに集中するのを避ける目的で、右手にダミーボックス３を持って実演を行っているが、一体ボックスＧだけを使用して観者の目を欺くことができるテクニックを有する演者ならば、ダミーボックス３は省略することもできる。
【００４０】
また、上記の例では、物体として六面体のサイコロを用いたが、サイコロの代わりに絵が描かれた六面体の物体を使用してもよい。例えば、６面のうち１面にのみ絵が描かれた六面体の物体を使用することができる。この構成によれば、最初に観者に示しておく４つの六面体の物体（第１物体）を特定の向きで積み上げると、ほぼ完成した１つの絵が形成され、さらに、あらかじめ補充用ボックス２に収容する４つの六面体の物体（第２物体）をその上に積み上げると、１つの絵が完成するといった演出を行うことができる。このように、物体収容ボックス１から第２物体が出現していくにつれて絵が完成するという演出は、手品の不思議さだけでなく、手品の楽しさを観者に提供することができる。
【符号の説明】
【００４１】
１・・・物体収容ボックス
２・・・補充用ボックス
１１・・・開口部
１２・・・格納部
１３・・・補充通路部
１００ａ〜１００ｄ・・・第１サイコロ
１０１ａ〜１０１ｄ・・・第２サイコロ
【図１】
2013063147.tif 000003
【図２】
2013063147.tif 000004
【図３】
2013063147.tif 000005
【図４】
2013063147.tif 000006
【図５】
2013063147.tif 000007